(57)【要約】【課題】従来の鼠捕獲器では鼠の通り道を予想して設置しても、取れるか否かは一種の賭けであり効率が悪かったが、設置により鼠が来るか否かを予め調査でき、エサ場として鼠を馴らした上で確実に捕獲できる効率的で構造簡単な鼠捕獲装置を提供する。【解決手段】上部の開口した捕獲箱１の開口部に、捕獲箱１を挟んで折畳み可能な傾斜板６１、６１が位置するように、シーソー式踏み板４を中心軸４１で揺動可能に落下口５内で支持する通路板６を設置して、落下口５を塞ぐごとく踏み板４上に天板を設置し、該天板上に餌を置いて鼠に餌付けする。鼠が天板上の餌に馴れた後、捕獲箱１内に粘着シート３を設置して、天板を除いてシーソー式踏み板４上に餌１０を置き、餌付けによる鼠の学習効果により鼠を該踏み板４上におびきよせ落下口内に落して粘着剤２に粘着せしめて捕獲する。また捕獲箱上部中央に障害棒８を設け、鼠が餌をとったまま通り抜けできないようにする。【選択図】　図２
2004008101.tif 000002
【特許請求の範囲】
【請求項１】
鼠の収容可能な上部が開口した捕獲箱１と、該捕獲箱１に嵌入設置するとともに内面に粘着剤２を塗布した粘着シート３と、捕獲箱１の開口部１１に設置可能に、シーソー式踏み板４をその中心軸４１で揺動可能に落下口５内で支持するとともに、前後に折畳み可能な一対の傾斜板６１．６１を備えた通路板６と、前記落下口５を塞ぐとともに餌を載置して鼠を誘導するようにした天板７とからなり、当初、捕獲箱１の開口部１１に、捕獲箱１を挟んで傾斜板６１．６１が位置するごとく通路板６を設置して落下口５を塞ぐごとくシーソー式踏み板４上に天板７を載置して該天板７上に餌を置き鼠の出没予想箇所に仕掛け、餌の消費状態で鼠の馴致状態を確認した後、捕獲箱１内に粘着シート３を設置し、天板７を除去してシーソー式踏み板４上に餌を載置し、鼠の学習効果により鼠を誘導捕獲するようにしたことを特徴とする鼠捕獲装置。
【請求項２】
捕獲箱１は、矩形状の開口部の長手方向の両側に対向して所定高のガイド板１２．１２を設けるとともに、その中央上部に鼠の通過を防ぐための障害棒８を取付けるようにした請求項１記載の鼠捕獲装置。
【発明の詳細な説明】
【０００１】
【発明の属する技術分野】
この発明は、鼠の捕獲装置に関し、より詳しくは落し穴式捕獲箱を用いた捕獲装置に関するものである。
【０００２】
【従来の技術及び発明が解決しようとする課題】
従来、鼠を捕獲するべく各種の捕獲器が用いられているが、その何れもが鼠の通りみちを予め予想して設置しており、とれるか否かは一種の賭けであり効率の悪さは避けられなかった。
本発明は、このような点に着目してなされたものであって、鼠が来るか否かを予め調査できて、更ににエサ場として鼠を馴らした上で確実に捕獲することのできる効率的で構造簡単な廃棄容易で公害の虞れもない安価な鼠の捕獲装置を提供することを目的とする。
【０００３】
【課題を解決するための手段】
上記目的を達成するために、本発明の鼠の捕獲装置においては、鼠の収容可能な上部が開口した捕獲箱１と、該捕獲箱１に嵌入設置するとともに内面に粘着剤２を塗布した粘着シート３と、該捕獲箱１の開口部１１に設置可能に、シーソー式踏み板４をその中心軸４１で揺動可能に落下口５内で支持するとともに、前後に折畳み可能な一対の傾斜板６１、６１を備えた通路板６と、前記落下口５を塞ぐとともに餌を載置して鼠を誘導するようにした天板７とから装置を構成し、使用時の当初、捕獲箱１の開口部１１に、該捕獲箱１を挟んで傾斜板６１、６１が位置するごとく通路板６を設置して落下口５を塞ぐごとくシーソー式踏み板４上に天板７を載置して該天板７上に餌を置き鼠の出没予想箇所に仕掛け、餌の消費状態で鼠の訓致状態を確認した後、捕獲箱１内に粘着シート３を設置し、天板７を除去してシーソー式踏み板４上に餌を載置し、鼠の学習効果により鼠を誘導捕獲するようにしたことを特徴としている。
【０００４】
これにより、天板７上に餌を置いている場合は、鼠は捕獲箱１上で餌を摂取しても落下口５が塞がれているため捕獲箱１内に落ち込むことはなく、安心して餌を食べることができる。従って餌の消費状態（なくなる状態）により鼠が来るか否かを調査することができ、餌をくり返し置き餌のなくなる状態を見てエサ場として鼠が馴れたのを確認した上で、同一場所に置いた捕獲箱１内に粘着シート３を設置し、天板７を除去してシーソー式踏み板４上に餌を載置すれば、前に天板７上に餌を置いたときの学習効果により鼠はためらうことなくシーソー式踏み板４を踏んで餌を取ろうとするため踏板４は転回して捕獲箱１内に落ち込み、粘着シート３の粘着剤２の塗布面に鼠を粘着捕獲せしめることができる。
【０００５】
捕獲箱１には、矩形状の開口部の長手方向の両側に対向して所定高のガイド板１２、１２を設けるとともに、それぞれのガイド板の中央上部に鼠の通過を防ぐための障害棒８を取付けるようにすることが効果的である。このようにすると鼠は餌を取ってもシーソー式踏板４上を走り抜けられないため、踏み板４は確実に転回して鼠を捕獲箱１内に落下せしめて捕獲することができる。
【０００６】
【本発明の実施の形態】
以下、本発明に係る鼠捕獲装置の好ましい実施の形態を、添付の図面に基づいて説明する。
図１は、鼠に餌付けすなわち鼠を捕獲箱上の餌に馴らして学習効果を与えるときの装置の斜視図で、図２は、鼠の学習効果により鼠を誘導捕獲するときの装置の斜視図である。
【０００７】
図１、２に於て１は、上部が解放した矩形状の開口部１１を有するを有する捕獲箱であって、該開口部の長手方向の両側に対向して所定高のガイド板１２、１２が捕獲箱１の長手方向の側板をそれぞれ上に延長して形成されるとともに、各ガイド板１２、１２の中央上部に鼠の通過を防ぐための後述する障害棒取付用の小孔１３が、各ガイド板１２の半円形状の突部１２’にそれぞれ形成されている。この捕獲箱１は、所定厚（０．５ミリ程度）の一枚の板紙より一部縁部を接着して形成された折畳み式のものを使用する。この場合、ワンアクションで箱形になるものを使用すると良い。
【０００８】
図１、２に於て６は、中央通路部６２にシーソー式踏板４を備え、前後に折畳み可能な一対の傾斜板６１、６１を備えた通路板である。
図３に、シーソー式踏み板４と通路板６との関係を表わす展開図が示されているが、中央通路部６２に形成された落下口５内に、落下口内壁より間隙をおいてシーソー式踏み板４が位置するごとく、中央通路部６２と同一厚（従って前後の傾斜板６１、６１と同一厚）の該踏み板４が、中心軸４１により揺動可能に落下口５内で中央通路部６２に支持されている。中央通路部６２と前後の傾斜板６１、６１とは微小肉厚を残した切目６３を介して一体形成されており、切目６３の前後で折畳み可能になっている。なお、図示しないが、通路板６（中央通路部６２と傾斜板６１、６１）とシーソー式踏板４とは、上下両面に挟まれた肉厚部に所要の肉抜きがおこなわれている。
【０００９】
図２に於て３は、折畳み可能な粘着シート３をコの字形に折込んで捕獲箱１内に嵌入設置した状態を示す。
該粘着シート３は、図４の展開図（Ａ）が示すごとく中央の２条の折目線３４、３４で折返すことにより、それぞれ小巾折返し片３１、３１、３２を内面にもつ中央の折目線左右の各矩形パネルを容易に一方の矩形パネルの大きさと小型化することができ、便利に取扱うことができるものである。これを捕獲箱１内に嵌入設置するには、中央の２条の折目線の左右の折目線３３、３３により図４（Ｂ）に示すごとく正面がコの字状になるように折込んで使用する。
【００１０】
図１に於て天板７は、前記通路板６の中央通路部６２上に載置して前記落下口５を塞ぐとともに餌を載置して鼠を誘導するようにしたもので、該中央通路部６２と同一寸法の板紙より形成されている。
前記のように捕獲箱１、通路板６、粘着シート３を折畳み可能とすることにより、平坦な天板７と共に、本鼠捕獲装置を保管・携行時に小形化することができ、便利に取扱うことができる。
【００１１】
次に、本鼠捕獲装置により、鼠は捕獲箱１上で餌付けして鼠を馴致した後、鼠の学習効果により鼠を誘導捕獲するときの本装置の使用法につき説明する。
【００１２】
先ず図１に示すごとく、捕獲箱１を折畳み状態（図示せず）から立上らせて上部が解放した矩形状の開口部１１を有するごとく箱状に形成し、之を鼠の出没予想箇所に置く。次いで捕獲箱１の側壁上部の対向するガイド板１２、１２の間の矩形状の開口部１１に、通路板６の中央通路部６２を挿入して捕獲箱１を挟んで傾斜板６１、６１が位置するようにする。この場合、折畳み可能な該傾斜版６１、６１は捕獲箱の設置箇所の地形に対応して適宜傾斜させることができる。なお、本実施の形態では捕獲箱１は平らな場所に置いた場合を示している。
【００１３】
次に、中央通路部６２の落下口５を塞ぐごとくシーソー式踏み板４上に天板７を載置して該天板７の中央に餌１０を置き、鼠をおびきよせるようにする。餌１０にはチーズ、穀物、油あげなどを用いると良い。
【００１４】
図５は、落下口５を塞いで天板７を設置して餌１０をおき、鼠が餌１０におびき寄せられたときの装置の一部断面側面図を示す。
この場合、餌の無くなり具合や糞などで鼠が来ることを確認する。鼠が来ることが判れば暫く続けて餌をおきエサ場として鼠を馴致する。
これにより、捕獲箱１の天板７上、すなわち通路板の中央通路部６２上の餌に対し鼠に学習効果を与えることができる。
【００１５】
鼠を捕獲箱１上のエサ場に対して馴れさせた後、図２に示すごとく捕獲箱１内に粘着シート３を折曲げた状態で嵌入設置し、捕獲箱１を同一場所に置く。次いで捕獲箱１の上部の対向するガイド板１２、１２の間の開口部に通路板６の中央通路部６２を挿入し、前記と同様に捕獲箱１を挟んで傾斜板６１、６１を位置せしめる。そして天板７を除いた状態でシーソー式踏み板４上に餌１０を載置する。この餌１０はシーソー式踏み板４のバランス上踏み板４の中央に置くようにする。また、対向する側板１２、１２中央上部の半円形状突部１２’、１２’の小孔１３、１３を挿通して鼠の通過を防ぐための障害棒８をセットする。障害棒８は合成樹脂製で良いが、適当な他のもの（割りばし、ストローなど）でも良い。
【００１６】
図６は、天板７を除去し、シーソー式踏み板４上に餌１０を載置し、通路板上（中央通路部上）の餌に対する鼠の学習効果により鼠を誘導捕獲するときの装置の一部断面側面図である。この場合、鼠が餌１０に誘われてシーソー式踏み板４の中心軸４１の片側を踏むとき、該踏み板４は転回して落下口５から下方に落下しコの字状に折曲げた粘着シート３の内側に落ち込み、鼠は下方及び左右両側を粘着剤２で包囲された恰好になり、暴れる鼠を容易に粘着・捕獲することができる。このとき鼠が餌１０を取ってシーソー式踏み板４上を走り抜けようとしても踏み板上方の障害棒８により走り抜けられないため、踏み板４は確実に転回して鼠を捕獲することができる。
鼠が捕獲された時には、通路板６を外して捕獲器１内へ天板７で蓋をしてそのまま廃棄する。
【００１７】
前記の説明から明らかなように本鼠捕獲装置は、鼠を捕獲箱の天板７上の餌に馴らした後、天板７を除去してシーソー式踏み板４上に餌を載置し、鼠に与えた学習効果により、従来の鼠捕獲器が鼠が取れるか否かは一種の賭けであり不確実で効率が悪かったのに対し、確実に効率良く捕獲することができるものである。また、本捕獲装置は、捕獲箱上部の障害棒が必ずしも無くても使用が可能であり、捕獲箱も板紙製の折畳み式のものでなく、合成樹脂による薄肉の一体成形の捕獲箱でも良く、本発明の要旨を逸脱しない範囲内で種々の変更を加えることが可能である。
【００１８】
【発明の効果】請求項１記載の鼠捕獲装置によれば、捕獲箱の上部開口部に設置する通路板の落下口内で支持したシーソー式踏板と、落下口を塞いで餌を載置して鼠を誘導するようにした天板とを用い、鼠を馴致するときには餌を天板上に、鼠が天板上の餌に馴れた後の鼠の捕獲時にはシーソー式踏板上にそれぞれ餌を載置して鼠の学習効果により鼠を誘導捕獲するようにしたことにより、従来の鼠捕獲器が鼠の予想通路に設置しても捕獲が不確実で効率が悪かったのに対し、確実に効率良く捕獲することが出来る。
【００１９】
請求項２記載の発明によれば、捕獲箱中央上部に設けた障害棒により、鼠が餌をとってもシーソー式踏板上を走り抜けられないため、シーソー式踏み板は確実に転回して鼠を捕獲箱内に落下せしめて捕獲することができる。
【図面の簡単な説明】
【図１】鼠に餌付けして学習効果を与えるときの装置の斜視図である。
【図２】鼠の学習効果により鼠を誘導捕獲するときの装置の斜視図である。
【図３】シーソー式踏み板と通路板との関係を示す通路板の展開図である。。
【図４】粘着シートの展開図と折曲げ状態を示す図である。
【図５】鼠に捕獲箱上の餌に馴らして学習効果を与えるときの装置の一部断面側面図である。
【図６】学習効果を得た鼠を誘導捕獲するときの装置の一部断面側面図である。
【符号の説明】
１…捕獲箱、　１１…開口部、　１２…ガイド板、２…粘着剤、　３…粘着シート、４…シーソー式踏み板、４１…中心軸、５…落下口、　６…通路板、　６１…傾斜板、７…天板、　８…障害棒。
【図１】
2004008101.tif 000003
【図２】
2004008101.tif 000004
【図３】
2004008101.tif 000005
【図４】
2004008101.tif 000006
【図５】
2004008101.tif 000007
【図６】
2004008101.tif 000008